(57)【要約】  【課題】笠木の取付作業性の向上を図れる位置決め部材を提供する。  【解決手段】位置決め部材である位置決め治具１は、平板状の本体部22を備える。本体部22の相対する両側面部には、笠木受け部材４との当接により笠木受け部材４の笠木幅方向位置を位置決めする４対の当接面部23を対をなす当接面部23同士間の離間距離がそれぞれ異なるように設ける。  【選択図】図１
2006233618.tif 000002
【特許請求の範囲】
【請求項１】
本体部と、
この本体部の相対する両側面部に対をなすもの同士間の離間距離がそれぞれ異なるように設けられ、対をなす笠木受け部材との当接によりこれら対をなす笠木受け部材の笠木幅方向位置を位置決めする複数対の当接面部と
を備えることを特徴とする位置決め部材。
【請求項２】
本体部を笠木被取付部に脱着可能に取り付けて使用する位置決め治具である
ことを特徴とする請求項１記載の位置決め部材。
【請求項３】
笠木被取付部に脱着可能に取り付けられる本体部と、
この本体部の相対する両側面部に対をなすもの同士間の離間距離がそれぞれ異なるように設けられ、対をなす笠木受け部材との当接によりこれら対をなす笠木受け部材の笠木幅方向位置を位置決めする複数対の当接面部とを備える位置決め治具を用いて、笠木を取り付ける笠木取付方法であって、
前記本体部を前記笠木被取付部に脱着可能に取り付ける工程と、
前記複数対の当接面部の中から選択した一対の当接面部に前記対をなす笠木受け部材を当接させてこれら対をなす笠木受け部材の笠木幅方向位置を位置決めする工程と、
この位置決めした笠木受け部材を前記笠木被取付部に取り付ける工程と、
この取り付けた笠木受け部材に笠木を係合させる工程と
を備えることを特徴とする笠木取付方法。
【請求項４】
本体部と、
この本体部の表面部に対をなすもの同士間の離間距離がそれぞれ異なるように付され、対をなす笠木受け部材の笠木幅方向位置を位置決めするための複数対の位置決め用表示部と
を備えることを特徴とする位置決め部材。
【請求項５】
本体部の裏面部を笠木被取付部に貼着して使用する防水材である
ことを特徴とする請求項４記載の位置決め部材。
【請求項６】
笠木被取付部に裏面部が貼着される本体部と、
この本体部の表面部に対をなすもの同士間の離間距離がそれぞれ異なるように付され、対をなす笠木受け部材の笠木幅方向位置を位置決めするための複数対の位置決め用表示部とを備える防水材を用いて、笠木を取り付ける笠木取付方法であって、
前記本体部の裏面部を前記笠木被取付部に貼着する工程と、
前記複数対の位置決め用表示部の中から選択した一対の位置決め用表示部に前記対をなす笠木受け部材を合せるようにしてこれら対をなす笠木受け部材の笠木幅方向位置を位置決めする工程と、
この位置決めした笠木受け部材を前記笠木被取付部に取り付ける工程と、
この取り付けた笠木受け部材に笠木を係合させる工程と
を備えることを特徴とする笠木取付方法。
【発明の詳細な説明】
【技術分野】
【０００１】
本発明は、笠木受け部材を位置決めするための位置決め部材および笠木取付方法に関するものである。
【背景技術】
【０００２】
従来、建物のベランダの壁等の笠木被取付部に笠木を取り付けるための笠木受け具として、例えば固定部材および取付調整部材を備えた笠木受け具が知られている（例えば、特許文献１参照）。そして、この笠木受け具を使用して笠木を取り付ける場合は、笠木被取付部に取付調整部材を取り付けた後、この取付調整部材に固定部材を取り付け、次いで、この固定部材に笠木を取り付けるようにしている。
【特許文献１】特開平１１−３５０６８０号公報
【発明の開示】
【発明が解決しようとする課題】
【０００３】
しかしながら、上記従来の方法では、笠木被取付部の笠木幅方向寸法が異なる施工現場で笠木の取付けに手間取るおそれがある。
【０００４】
本発明は、このような点に鑑みなされたもので、笠木被取付部の笠木幅方向寸法に拘わらず、笠木受け部材を簡単に位置決めでき、笠木の取付作業性の向上を図ることができる位置決め部材および笠木取付方法を提供することを目的とする。
【課題を解決するための手段】
【０００５】
請求項１記載の位置決め部材は、本体部と、この本体部の相対する両側面部に対をなすもの同士間の離間距離がそれぞれ異なるように設けられ、対をなす笠木受け部材との当接によりこれら対をなす笠木受け部材の笠木幅方向位置を位置決めする複数対の当接面部とを備えるものである。
【０００６】
そして、笠木被取付部の笠木幅方向寸法に拘わらず、笠木受け部材を簡単に位置決めすることが可能であり、笠木の取付作業性の向上を図ることが可能である。
【０００７】
請求項２記載の位置決め部材は、請求項１記載の位置決め部材において、本体部を笠木被取付部に脱着可能に取り付けて使用する位置決め治具であるものである。
【０００８】
そして、本体部が笠木被取付部に脱着可能であり、位置決め治具として繰返し使用することが可能である。
【０００９】
請求項３記載の笠木取付方法は、笠木被取付部に脱着可能に取り付けられる本体部と、この本体部の相対する両側面部に対をなすもの同士間の離間距離がそれぞれ異なるように設けられ、対をなす笠木受け部材との当接によりこれら対をなす笠木受け部材の笠木幅方向位置を位置決めする複数対の当接面部とを備える位置決め治具を用いて、笠木を取り付ける笠木取付方法であって、前記本体部を前記笠木被取付部に脱着可能に取り付ける工程と、前記複数対の当接面部の中から選択した一対の当接面部に前記対をなす笠木受け部材を当接させてこれら対をなす笠木受け部材の笠木幅方向位置を位置決めする工程と、この位置決めした笠木受け部材を前記笠木被取付部に取り付ける工程と、この取り付けた笠木受け部材に笠木を係合させる工程とを備えるものである。
【００１０】
そして、笠木被取付部の笠木幅方向寸法に拘わらず、笠木受け部材を簡単に位置決めすることが可能であり、笠木の取付作業性の向上を図ることが可能である。
【００１１】
請求項４記載の位置決め部材は、本体部と、この本体部の表面部に対をなすもの同士間の離間距離がそれぞれ異なるように付され、対をなす笠木受け部材の笠木幅方向位置を位置決めするための複数対の位置決め用表示部とを備えるものである。
【００１２】
そして、笠木被取付部の笠木幅方向寸法に拘わらず、笠木受け部材を簡単に位置決めすることが可能であり、笠木の取付作業性の向上を図ることが可能である。
【００１３】
請求項５記載の位置決め部材は、請求項４記載の位置決め部材において、本体部の裏面部を笠木被取付部に貼着して使用する防水材であるものである。
【００１４】
そして、位置決め治具等を使用することなく、笠木受け部材を簡単に位置決め可能であり、しかも、防水性が向上する。
【００１５】
請求項６記載の笠木取付方法は、笠木被取付部に裏面部が貼着される本体部と、この本体部の表面部に対をなすもの同士間の離間距離がそれぞれ異なるように付され、対をなす笠木受け部材の笠木幅方向位置を位置決めするための複数対の位置決め用表示部とを備える防水材を用いて、笠木を取り付ける笠木取付方法であって、前記本体部の裏面部を前記笠木被取付部に貼着する工程と、前記複数対の位置決め用表示部の中から選択した一対の位置決め用表示部に前記対をなす笠木受け部材を合せるようにしてこれら対をなす笠木受け部材の笠木幅方向位置を位置決めする工程と、この位置決めした笠木受け部材を前記笠木被取付部に取り付ける工程と、この取り付けた笠木受け部材に笠木を係合させる工程とを備えるものである。
【００１６】
そして、笠木被取付部の笠木幅方向寸法に拘わらず、笠木受け部材を簡単に位置決めすることが可能であり、笠木の取付作業性の向上を図ることが可能である。
【発明の効果】
【００１７】
本発明によれば、笠木被取付部の笠木幅方向寸法に拘わらず、笠木受け部材を簡単に位置決めでき、笠木の取付作業性の向上を図ることができる。
【発明を実施するための最良の形態】
【００１８】
本発明の位置決め部材の第１の実施の形態を図面を参照して説明する。
【００１９】
図１および図２において、１は位置決め部材である位置決め治具で、この位置決め治具１は、笠木被取付部２に笠木３を笠木受け部材（笠木ブラケット）４を介して取り付ける際に、笠木受け部材４の笠木幅方向位置を笠木被取付部２に対して位置決めするために用いるものである（図３参照）。
【００２０】
笠木被取付部２は、例えば上面に防水シート６が貼り付けられ建物のベランダの床に立設された壁である。笠木被取付部２の上面部における笠木幅方向中央位置には、けがき線等の基準線７が付されている。
【００２１】
対をなす笠木受け部材４は、例えば互いに同一形状のもので、笠木被取付部２の上面部にねじ等の取付具11にて取り付けられる水平状の取付板部12と、取付板部12に設けられ笠木３と係合してこの笠木３を保持する係合板部13とを有している。係合板部13の上面にはゴム製の弾性シート14が貼り付けられている。なお、対をなす笠木受け部材４の形状は、笠木２の上面が傾斜状である場合等には互いに異なる形状となる。
【００２２】
笠木受け部材４用の位置決め治具１は、図１および図２に示されるように、笠木被取付部２の上面部に仮固定ピン等の仮止め具21にて脱着可能に取り付けられる平板状の本体部（位置決め本体部）22と、本体部22の相対する両側面部に対をなすもの同士間の離間距離（Ａ1，Ａ2等）がそれぞれ段階的に異なるように設けられ対をなす笠木受け部材４の先端面との当接によりこれら対をなす笠木受け部材４の笠木幅方向位置を笠木被取付部２に対して位置決めする複数対、例えば５対の当接面部23とを備えている。
【００２３】
本体部22は、相対する側辺が左右対称的に階段状に形成されたもので、幅方向中央部には複数の仮止め具挿通用の孔部24が長手方向に間隔をおいて形成されている。本体部22の長手方向両端部における幅方向中央部には、笠木被取付部２上の基準線７と合せる切欠き等の基準合せ部25が設けられている。本体部22の長手方向両端部の表面と、隣合う当接面部23間に位置し笠木受け部材４の側面と当接する中間当接面部26の表面とには、長さ測量用の目盛27が付されている。
【００２４】
なお、当接面部23の長さ寸法（笠木長手方向寸法）は、笠木受け部材４の取付板部12の幅寸法（笠木長手方向寸法）と略同じになっている。この当接面部23の長さ寸法は、略同じでなく、取付板部12の幅寸法より小さくても大きくてもよい。
【００２５】
次に、位置決め治具１を用いて、笠木３を笠木被取付部２に取り付ける場合について説明する。
【００２６】
まず、位置決め治具１を笠木被取付部２の上面部に仮止めする。すなわち、仮止め具21を孔部24内に差し込むことにより、本体部22を笠木被取付部２の上面部に脱着可能に取り付ける。このとき、基準合せ部25を笠木被取付部２上の基準線７に合せることにより、本体部22の幅方向中心と笠木被取付部２の笠木幅方向中心とを一致させる。
【００２７】
次いで、仮止めした位置決め治具１の複数対の当接面部23の中から笠木被取付部２の笠木幅方向寸法に応じて選択した一対の当接面部23に対をなす笠木受け部材４の取付板部12の先端面を当接させてこれら対をなす笠木受け部材４の笠木幅方向位置を位置決めする。また同時に、選択した一対の当接面部23に隣接した中間当接面部26に笠木受け部材４の取付板部12の一側面を当接させてこれら対をなす笠木受け部材４の笠木長手方向位置を位置決めする。なお、対をなす笠木受け部材４間の間隙は、選択された一対の当接面部23間の離間距離である。
【００２８】
次いで、位置決めした笠木受け部材４の取付板部12を取付具11にて取り付ける。そして、位置決め治具１を笠木被取付部２の上面部から取り外してから、笠木受け部材４の係合板部13に笠木３を係合させて、笠木受け部材４に笠木３を保持させる。
【００２９】
なお、位置決め治具１が笠木被取付部２の幅の内側に収まる場合等は、取り外さないで、位置決め治具１を残したまま笠木３を取り付けるようにしてもよい。
【００３０】
このように位置決め治具１を用いれば、笠木被取付部２の笠木幅方向寸法に拘わらず、笠木受け部材４を笠木被取付部２に対して簡単に位置決めでき、笠木３の取付作業性の向上を図ることができる。また、笠木受け部材４は１種類用意すれば足りるので、コスト低減も図ることができる。
【００３１】
なお、位置決め治具１は、図４に示すように、本体部22の相対する側辺がテーパ状に形成されたもの等でもよい。この図４に示す位置決め治具１は、略三角状の本体部22の相対する両側面部に対をなすもの同士間の長手方向中央の離間距離（Ａ1，Ａ2等）がそれぞれ異なるように設けられ対をなす笠木受け部材４の傾斜状の先端面との当接によりこれら対をなす笠木受け部材４の笠木幅方向位置を笠木被取付部２に対して位置決めする複数対、例えば４対の当接面部23を備えている。
【００３２】
また、図５に示すように、本体部22の相対する一の両側面部と相対する他の両側面部とに複数対の当接面部23，23aを設けるようにしてもよい。この場合、隣合う当接面部23の離間距離（Ａ1，Ａ2等）の差と隣合う当接面部23aの離間距離（Ｂ1，Ｂ2等）の差とが異なるため、位置決め治具１の汎用性が向上する。
【００３３】
なお、位置決め治具１の素材は、金属製、透明な樹脂製、或いは紙製等、任意である。また、位置決め治具１は平板状でなくシート状でもよく厚さも任意である。さらに、笠木受け部材４等の梱包箱の一部に印刷や切込み等で位置決め治具１の輪郭が描かれていて、その輪郭に沿って切り離すことにより位置決め治具１が形成されるようにしてもよい。
【００３４】
本発明の位置決め部材の第２の実施の形態を図面を参照して説明する。
【００３５】
図６において、31はシート状の位置決め部材としての防水材である防水テープで、この防水テープ31は、位置決めの機能を兼ね備えた防水材で、笠木被取付部２に笠木３を笠木受け部材（笠木ブラケット）４を介して取り付ける際に、笠木受け部材４の笠木幅方向位置を笠木被取付部２に対して位置決めするためにも利用される（図３参照）。なお、図６において図１と同一符号を付した部分は、同一または相当部分を示す。
【００３６】
防水テープ31は、笠木被取付部２の上面部に粘着剤等が塗られた裏面部が貼着されるシート状であるテープ状の本体部（防水本体部）32と、本体部32の表面部に対をなすもの同士間の離間距離（Ａ1，Ａ2等）がそれぞれ段階的に異なるように付され対をなす笠木受け部材４の笠木幅方向位置を笠木被取付部２に対して位置決めするための複数対、例えば４対の位置決め用表示部33とを備えている。
【００３７】
本体部32は、笠木幅方向に長手方向を有する略矩形状のもので、この本体部32の表面部における長手方向中央部には、笠木被取付部２上の基準線７と合せる矢印等の基準合せ部である基準合せ表示部35が付されている。また、位置決め用表示部33は、本体部32の幅方向に沿った直線であり、この位置決め用表示部33の両端近傍には、その位置決め用表示部33の離間距離に対応する規格寸法表示等が付されている。さらに、本体部32の表面部には、位置決め用表示部33と直交する互いに平行な２本の笠木長手方向位置決め用表示部36が付されている。
【００３８】
次に、防水テープ31を用いて、笠木３を笠木被取付部２に取り付ける場合について説明する。
【００３９】
まず、防水テープ31を笠木被取付部２の上面部に取り付ける。すなわち、防水テープ31の本体部32の裏面部（粘着部）を笠木被取付部２の上面部に貼着する。このとき、基準合せ表示部35を笠木被取付部２上の基準線７に合せることにより本体部32の長手方向中心と笠木被取付部２の笠木幅方向中心とを一致させる。
【００４０】
次いで、貼着した防水テープ31の複数対の位置決め用表示部33の中から笠木被取付部２の笠木幅方向寸法に応じて選択した一対の位置決め用表示部33に対をなす笠木受け部材４の取付板部12の先端面位置を合せるようにしてこれら対をなす笠木受け部材４の笠木幅方向位置を位置決めする。また同時に、両笠木長手方向位置決め用表示部36に笠木受け部材４の取付板部12の両側面位置を合せるようにしてこれら対をなす笠木受け部材４の笠木長手方向位置を位置決めする。なお、対をなす笠木受け部材４間の間隙は、選択された一対の位置決め用表示部33間の離間距離である。
【００４１】
次いで、防水テープ31上に位置決めした笠木受け部材４の取付板部12を取付具11にて取り付け、その後、笠木受け部材４の係合板部13に笠木３を係合させて、笠木受け部材４に笠木３を保持させる。
【００４２】
このように防水テープ31を用いれば、笠木被取付部２の笠木幅方向寸法に拘わらず、笠木受け部材４を笠木被取付部２に対して簡単に位置決めでき、笠木３の取付作業性の向上を図ることができる。また、笠木受け部材４は１種類用意すれば足りるので、コスト低減も図ることができる。しかも、防水テープ31の防水機能によって防水シート６とで２重防水となり防水効果を高めることができる。
【００４３】
なお、ベランダの壁に貼り付ける防水シート６とは別体の防水テープ31に位置決めの機能を付加するのではなく、図７に示すように、同様の位置決めの機能をシート状の位置決め部材としての防水材である防水シート31a自体に付加してもよい。
【図面の簡単な説明】
【００４４】
【図１】本発明の位置決め部材の第１の実施の形態を示す斜視図である。
【図２】同上位置決め部材の平面図である。
【図３】笠木被取付部に取り付けた笠木部の断面図である。
【図４】同上位置決め部材（位置決め治具）の変形例の平面図である。
【図５】同上位置決め部材（位置決め治具）の他の変形例の平面図である。
【図６】本発明の位置決め部材の第２の実施の形態を示す斜視図である。
【図７】同上位置決め部材（防水材）の変形例の平面図である。
【符号の説明】
【００４５】
１    位置決め部材である位置決め治具
２    笠木被取付部
３    笠木
４    笠木受け部材
22    本体部
23    当接面部
31    位置決め部材としての防水材である防水テープ
31a    位置決め部材としての防水材である防水シート
32    本体部
33    位置決め用表示部
【図１】
2006233618.tif 000003
【図２】
2006233618.tif 000004
【図３】
2006233618.tif 000005
【図４】
2006233618.tif 000006
【図５】
2006233618.tif 000007
【図６】
2006233618.tif 000008
【図７】
2006233618.tif 000009